(57)【要約】【課題】軸筒内に筆記体を収容し、円筒カムの回転により摺動コマを前方に移動させ、前記摺動コマに連結された筆記体の先端部を軸先から突出させる筆記具において、作動質感を格段に向上させる。【解決手段】円筒カム２０は、周方向に沿って円弧断面状に形成されたカム平坦部２２ａと、前記カム平坦部の両端側から前方に尖形するように延設された一対のカム斜面２２ｂと、前記一対のカム斜面の先端が繋がる所定幅のカム頂部２２ｃと、前記カム平坦部に少なくとも一つ設けられ、前記摺動コマが着脱自在に嵌合可能な凹部状のカム底部２２ｄとを有し、筆記体１１に連結された摺動コマ８が前記円筒カムのカム頂部に当接することにより、該筆記体の先端部が軸先から突出され、その状態において、少なくとも他の筆記体１２，１３のいずれかに連結された前記摺動コマが前記カム底部に嵌合している。【選択図】図２
2015180558.tif 000002
【特許請求の範囲】
【請求項１】
軸筒内に複数の筆記体が収容された筆記具において、前記筆記体の後端に連結された摺動コマと、軸周りに回転自在に設けられ、前記摺動コマが摺動可能な円筒カムとを具備し、前記円筒カムの回転により前記摺動コマを前後移動させ、選択的に一つの筆記体の先端部を軸先から突出させる複式筆記具であって、
前記円筒カムは、
周方向に沿って円弧断面状に形成されたカム平坦部と、前記カム平坦部の両端側から前方に尖形するように延設された一対のカム斜面と、前記一対のカム斜面の先端が繋がる所定幅のカム頂部と、前記カム平坦部に少なくとも一つ設けられ、前記摺動コマが着脱自在に嵌合可能な凹部状のカム底部とを有し、
前記筆記体に連結された摺動コマが前記円筒カムのカム頂部に当接することにより、該筆記体の先端部が軸先から突出され、その状態において、少なくとも他の筆記体のいずれかに連結された前記摺動コマが前記カム底部に嵌合していることを特徴とする複式筆記具。
【請求項２】
前記複数の筆記体には、それぞれリターンバネが設けられ、
摺動コマは、前記リターンバネの付勢力により前記円筒カムに当接し、
前記摺動コマが前記円筒カムのカム頂部に当接する状態で、前記リターンバネは最も圧縮され、
前記摺動コマが前記カム底部に嵌合する状態で、前記リターンバネは最も伸長されることを特徴とする請求項１に記載された複式筆記具。
【請求項３】
前記円筒カムにおいて、前記カム底部は、前記カム平坦部の端部に形成され、
前記カム斜面とカム平坦部とは、前記カム底部を介して繋がっていることを特徴とする請求項１または請求項２に記載された複式筆記具。
【請求項４】
前記カム平坦部において、前記カム底部は、軸筒内に収容される筆記体の数に合わせて設けられていることを特徴とする請求項１乃至請求項３のいずれかに記載された複式筆記具。
【請求項５】
前記円筒カムにおいて、前記カム頂部は、緩やかな凹状に形成されていることを特徴とする請求項１乃至請求項４のいずれかに記載された複式筆記具。
【発明の詳細な説明】
【技術分野】
【０００１】
本発明は、軸筒内に複数の筆記体を収容し、円筒カムの回転により摺動コマを前方に移動させ、前記摺動コマに結合された筆記体の先端部を軸先から突出させる複式筆記具に関する。
【背景技術】
【０００２】
従来、軸筒の中に複数の筆記体を収容し、所定の繰り出し操作により、軸筒の先端から、筆記体の先端部を突出させる構造の筆記具が広く用いられている。
軸筒に収容された複数の筆記体のうち、一つを選択的に繰り出す機構（繰り出し機構）の方式として、回転繰り出し式と呼ばれるものがある。この回転繰り出し式は、特許文献１に開示されるように、前軸に対して後軸を回転させることにより、前軸の先端から筆記体の先端部を選択的に出没させるものである。
【０００３】
より具体的には、軸筒の中に円筒カムが装填され、前軸に対して後軸を回転させることにより筆記体の後端に設けられた摺動コマがカム斜面を摺動する。そして、カム頂部に設けられた所定深さ（例えば０．７ｍｍ）の凹部に、摺動コマの凸部が嵌ることによって、選択された筆記体の先端部が軸筒先端から突出した状態に維持される。
また、この状態から、更に前軸に対して後軸を回転させることによって、前記円筒カムにおけるカム頂部の凹部から、摺動コマの凸部が外れ、軸筒内に筆記体が没入される構成となっている。
【先行技術文献】
【特許文献】
【０００４】
【特許文献１】実公平６−１５７４８号公報
【発明の概要】
【発明が解決しようとする課題】
【０００５】
ところで、前記構造の回転繰り出し式の筆記具にあっては、円筒カムにおけるカム頂部の凹部に摺動コマの凸部が嵌ることでクリック感が生じるようになされている。
しかしながら、摺動コマの凸部がカム頂部の凹部に嵌る際には、その筆記具に設けられたリターンバネが最も圧縮された状態となっており、円筒カムに対し高い荷重が加わる。このため、摺動コマの凸部がカム頂部の凹部に嵌る際に、筆記具全体に大きな衝撃が発生し、作動質感を大きく低下させていた。
【０００６】
また、筆記体の後端に設けられた摺動コマの凸部が、カム頂部に形成された凹凸を乗り越え可能とするためのストロークを確保する必要があるため、そのストローク分、軸長を長く形成しなければならないという課題があった。
更には、前記のように筆記体に設けられたリターンバネが強く圧縮された状態で、摺動コマの凸部が、カム頂部に形成された凹凸を乗り越えるため、使用を重ねるうちに、摩耗によりカム頂部が平坦化し、摺動コマの凸部がカム頂部から外れやすくなるという課題もあった。
【０００７】
本発明は、前記した点に着目してなされたものであり、軸筒内に筆記体を収容し、円筒カムの回転により摺動コマを前方に移動させ、前記摺動コマに連結された筆記体の先端部を軸先から突出させる筆記具において、作動質感を格段に向上させることのできる筆記具を提供することを目的とする。
【課題を解決するための手段】
【０００８】
前記した課題を解決するために、本発明に係る筆記具は、軸筒内に複数の筆記体が収容された筆記具において、前記筆記体の後端に連結された摺動コマと、軸周りに回転自在に設けられ、前記摺動コマが摺動可能な円筒カムとを具備し、前記円筒カムの回転により前記摺動コマを前後移動させ、選択的に一つの筆記体の先端部を軸先から突出させる複式筆記具であって、前記円筒カムは、周方向に沿って円弧断面状に形成されたカム平坦部と、前記カム平坦部の両端側から前方に尖形するように延設された一対のカム斜面と、前記一対のカム斜面の先端が繋がる所定幅のカム頂部と、前記カム平坦部に少なくとも一つ設けられ、前記摺動コマが着脱自在に嵌合可能な凹部状のカム底部とを有し、前記筆記体に連結された摺動コマが前記円筒カムのカム頂部に当接することにより、該筆記体の先端部が軸先から突出され、その状態において、少なくとも他の筆記体のいずれかに連結された前記摺動コマが前記カム底部に嵌合していることに特徴を有する。
尚、前記複数の筆記体には、それぞれリターンバネが設けられ、摺動コマは、前記リターンバネの付勢力により前記円筒カムに当接し、前記摺動コマが前記円筒カムのカム頂部に当接する状態で、前記リターンバネは最も圧縮され、前記摺動コマが前記カム底部に嵌合する状態で、前記リターンバネは最も伸長されることが望ましい。尚、リターンバネが最も伸長されるとは、バネ荷重が０Ｎ（ニュートン）ではなく適度に荷重があり、筆記体内に収容されるにおいて最も伸びた状態をいう。
【０００９】
このような構成によれば、選択された筆記体ではない他の筆記体に連結された摺動コマが円筒カムのカム底部に嵌り込むことにより、選択された筆記体は、その後端に連結された摺動コマがカム頂部から位置ずれすることなく保持される。
また、選択された筆記体ではない他の筆記体に連結された摺動コマが円筒カムのカム底部に嵌り込むことでクリック感を得ることができるが、それら筆記体に捲装されたリターンバネは最も伸長された状態で嵌るため、強い衝撃が生じることなく上質な作業質感を得ることができる。更には、カム底部周辺の凹凸に加わる負荷が低減され、摩耗を抑制することができる。
更に、カム頂部は略平坦に形成すればよく、従来のように、筆記体に設けられた摺動コマが、カム頂部の凹凸を乗り越えるためのストロークを確保する必要がなく、そのストローク分、軸長を長く形成しなくてもよい。
【００１０】
また、前記円筒カムにおいて、前記カム底部は、前記カム平坦部の端部に形成され、前記カム斜面とカム平坦部とは、前記カム底部を介して繋がっていることが望ましい。
このように構成することにより、凹部状のカム底部の一方の側面をカム斜面と面一に形成することができる。
このため、摺動コマがカム底部に嵌合する際の衝撃、或いはカム底部から外れる際の衝撃のいずれかを無くすことができる。
【００１１】
また、前記カム平坦部において、前記カム底部は、軸筒内に収容される筆記体の数に合わせて設けられていることで筆記体を保持する際の安定性が向上するが、筆記体の数に拘わらず、カム底部の数を増減することによりクリック感を調整するようにしてもよい。
また、前記円筒カムにおいて、前記カム頂部は、緩やかな凹状に形成されていることで、選択された筆記体の保持安定性が向上するが、選択された筆記体の配置は、他の選択されていない筆記体に連結された摺動コマがカム底部に嵌合することによって確保されるため、前記カム頂部は平坦に形成されてもよい。
【発明の効果】
【００１２】
本発明によれば、軸筒内に筆記体を収容し、円筒カムの回転により摺動コマを前方に移動させ、前記摺動コマに連結された筆記体の先端部を軸先から突出させる筆記具において、作動質感を格段に向上させることのできる筆記具を得ることができる。
【図面の簡単な説明】
【００１３】
【図１】図１（ａ）は、本発明に係る複式筆記具の外観を示した正面図であり、図１（ｂ）はその軸方向に沿って中央で破断した状態の断面図である。
【図２】図２（ａ）は、内部構造を説明するために外装である軸筒を取り外した状態の平面図、図２（ｂ）は、その側面図である。
【図３】図３は、本発明の複式筆記具が備えるガイド筒の斜視図である。
【図４】図４は、本発明の複式筆記具が備える摺動コマの斜視図である。
【図５】図５（ａ）は、本発明の複式筆記具が備える円筒カムの正面図であり、図５（ｂ）は、図５（ａ）の側面図であり、図５（ｃ）は、図５（ｂ）の断面図である。
【発明を実施するための形態】
【００１４】
この発明にかかる複式筆記具について、図１に示す実施の形態に基づいて説明する。尚、図１（ａ）は複式筆記具の外観を示した正面図であり、図１（ｂ）はその軸方向に沿って中央で破断した状態の断面図である。尚、図１（ａ）、図１（ｂ）は共に、収容するシャープペンシル筆記体の先端部を軸先（口金）から突出させた状態を示している。
また、図２（ａ）は、内部構造を説明するために外装である軸筒を取り外した状態の平面図、図２（ｂ）は、その側面図である。
【００１５】
図１（ａ）、図１（ｂ）に示すように、複式筆記具１の軸筒は、前軸２および後軸３により構成されている。
即ち、前軸２の後端部に設けられた円筒状の連結螺子２ａが、ガイド筒４の前部周面に形成された螺子部４ａに螺合して連結され、後軸３の前端部内周面に形成されたリング状突起３ａが、ガイド筒４の外周面に形成された溝部４ｂに軸周りに摺動自在に嵌ることによって軸筒が構成されている。即ち、後軸３は、前軸２及びガイド筒４に対して軸周りに回動自在となされている。
また、前軸２の前端部には、テーパ状に径を細くして、その端部に形成された先口部５ａから筆記体の先端が出没可能な口金５が螺着されている。
また、後軸３の後端部には、蓋部材６が装着され、これによりクリップ部７が固定されている。
【００１６】
また、本実施の形態にあっては、図２（ａ）に示すように、筆記体として、シャープペンシル筆記体１１、ボールペン筆記体１２、１３の３本が軸筒内に収容される。
図３に前記ガイド筒４の斜視図を示す。このガイド筒４は、前記のように、その前端部に前軸２に連結される螺子部４ａが形成され、螺子部４ａよりも後側の周面に、前記後軸３を回動自在に装着するための溝部４ｂが形成されている。
【００１７】
前記ガイド筒４において、前記溝部４ｂ付近には、軸筒に収容される筆記体を軸方向に挿通可能な貫通孔４ｃが筆記体の本数に合わせて形成されている。そして、それら貫通孔４ｃよりも後方には、それぞれ軸方向に延びるガイド溝４ｄが設けられている。
即ち、シャープペンシル筆記体１１、及びボールペン筆記体１２、１３の各筆記体は、ガイド筒４の貫通孔４ｃにそれぞれ挿通され、前記ガイド溝４ｄに沿って軸方向に移動可能に配置される。
また、ガイド筒４の後端には、後述の円筒カム２０を軸周りに回動自在に連結するための突起部４ｅが形成されている。
【００１８】
また、図２（ａ）、図２（ｂ）に示すように、前記ガイド筒４のガイド溝４ｄには、筆記体１１、１２、１３をそれぞれ捲装するようにしてリターンバネ１５が配置されている。
リターンバネ１５の後端は、筆記体の後端部に装着される摺動コマ８に当接し、リターンバネ１５の前端は、前記ガイド筒４における貫通孔４ｃに係止している。
前記摺動コマ８は、図４の斜視図に示すように、筆記体後端に嵌着するための突出部８ａと、ガイド筒４のガイド溝４ｄを軸方向に摺動自在な本体部８ｂと、本体部８ｂの前面に形成され、筆軸後方に向けて突起した凸部８ｃとを有する。凸部８ｃの左右両側には、カム斜面８ｄがそれぞれ形成されている。また、本体部８ｂの前端側には、リターンバネ１５が係止される係止部８ｅが設けられている。
【００１９】
図５（ａ）は、後端部に前記蓋部材６が螺着されることによって後軸３に結合される円筒カム２０の正面図であり、図５（ｂ）は、その側面図である。また、図５（ｃ）は、図５（ｂ）の断面図である。
この円筒カム２０は、円筒状の円筒部２１と、円筒部２１の前端から前方へ延びるカム部２２とからなる。前記円筒部２１には、図５（ｃ）に示すように、その内周面に螺子部２１ａが形成されており、この螺子部２１ａに対し、前記したように蓋部材６が螺着される。
【００２０】
また、図５（ｃ）に示すように、円筒部２１の内周面において、前記螺子部２１ａよりも筆軸前方側には、リング状突起２１ｂが形成されており、前記螺子部２１ａに蓋部材６が螺着されることにより溝部２１ｃが形成されるようになっている。この溝部２１ｃには、前記ガイド筒４の後端に設けられた突起部４ｅが軸周りに回動自在に嵌められる。
【００２１】
一方、カム部２２は、円筒部２１の前端において、周方向に沿って円弧断面状に形成されたカム平坦部２２ａを有する。更に、前記カム平坦部２２ａの両端側から前方に尖形するように延設された一対のカム斜面２２ｂを有する。この一対のカム斜面２２ｂは、それぞれの断面が円弧状であり、その先端は、所定幅を有するカム頂部２２ｃの両端にそれぞれ繋がっている。
尚、カム頂部２２ｃは、選択された筆記体に連結された摺動コマ８の凸部８ｃが当接する部位であるため、図面においては、安定性向上のために緩やかな凹状に形成されているが、平坦に形成されもよい。
【００２２】
また、図示するように、カム平坦部２２ａの両端には、摺動コマ８の凸部８ｃが着脱自在に嵌合可能な凹部状のカム底部２２ｄがそれぞれ設けられている。図示するように、カム底部２２ｄの一方の側面はカム斜面２２ｂと面一に形成されている。
尚、このカム底部２２ｄは、選択されていない筆記体の後端に連結された摺動コマ８の凸部８ｃをそれぞれ嵌めるために設けられており、その嵌る動作によってクリック感が得られるという効果を得ることができる。
また、前記のようにカム底部２２ｄがカム平坦部２２ａの端部に形成されていることにより、摺動コマ８がカム底部２２ｄに嵌合する際の衝撃、或いはカム底部２２ｄから外れる際の衝撃のいずれかを無くすことができる。
更にカム底部２２ｄと摺動コマ８の凸部８ｃとの間に粘稠性のあるグリスを塗布することでクリック音を低下することができ、高級感のあるクリック感を得ることができる。
【００２３】
前記した構成の複式筆記具１において、例えば、シャープペンシル筆記体１１を選択し、その先端を軸先から突出させた場合、図２（ａ）に示すように、シャープペンシル筆記体１１の後端に連結された摺動コマ８の凸部８ｃが円筒カム２０のカム頂部２２ｃに当接する状態となる。このとき、シャープペンシル筆記体１１において、その後部に捲装されたリターンバネ１５は最も圧縮された状態となっている。
一方、他の筆記体（ボールペン筆記体１２，１３）にあっては、図２（ｂ）に示すように、その後端に連結された摺動コマ８の凸部８ｃが円筒カム２０のカム底部２２ｄに嵌った状態となる。また、このときシャープペンシル筆記体１２，１３において、その後部に捲装されたリターンバネ１５は長く伸びた状態であり、摺動コマ８に対し軸後方に向けて、比較的緩い付勢力を与えている。
【００２４】
この状態から、例えばボールペン筆記体１２を選択する場合、前軸２に対し後軸３を軸周りに回動させると、ボールペン筆記体１２の後端に連結された摺動コマ８が、円筒カム２０のカム斜面２２ｂに沿って摺動開始し、それにより、その凸部８ｃがカム底部２２ｄから外れる。
一方、円筒カム２０のカム頂部２２ｃに当接していたシャープペンシル筆記体１１に連結された摺動コマ８は、カム頂部２２ｃから外れ、（前記ボールペン筆記体１２に連結された摺動コマ８が摺動するカム斜面２２ｂとは反対側の）カム斜面２２ｂをカム底部２２ｄに向けて摺動開始する。
更に、選択されない他の筆記体であるボールペン筆記体１３にあっては、その後端に連結された摺動コマ８の凸部８ｃは、カム底部２２ｄから外れ、カム平坦部２２ａを摺動開始する。
【００２５】
そして、ボールペン筆記体１２の後端に連結された摺動コマ８が円筒カム２０のカム斜面２２ｂを摺動し、カム頂部２２ｃに達すると、その凸部８ｃがカム頂部２２ｃに当接し、ボールペン筆記体１２の先端が軸先から突出した状態で保持される。
一方、前記ボールペン筆記体１２の摺動コマ８が円筒カム２０のカム頂部２２ｃに到達すると同時に、シャープペンシル筆記体１１に連結され、カム斜面２２ｂを摺動していた摺動コマ８がカム底部２２ｄに到達し、その凸部８ｃがカム底部２２ｄに嵌る状態となる。
更に、同時に、ボールペン筆記体１３に連結され、カム平坦部２２ａを摺動していた摺動コマ８が他方のカム底部２２ｄに到達し、その凸部８ｃがカム底部２２ｄに嵌る状態となる。
【００２６】
このように、選択されたボールペン筆記体１２ではない他の筆記体に連結された摺動コマ８が円筒カム２０のカム底部２２ｄに嵌り込むことにより、ボールペン筆記体１２は、その後端に連結された摺動コマ８がカム頂部２２ｃから位置ずれすることなく保持される。
また、選択されたボールペン筆記体１２ではない他の筆記体に連結された摺動コマ８が円筒カム２０のカム底部２２ｄに嵌り込むことでクリック感が得られるが、それら筆記体に捲装されたリターンバネ１５は比較的長く伸びた状態で嵌るため、強い衝撃が生じることなく上質な作業質感を得ることができる。更には、カム底部２２ｄ周辺の凹凸に加わる負荷が低減され、摩耗を抑制することができる。
【００２７】
また、カム頂部２２ｃは略平坦に形成すればよいため、従来のように、筆記体に設けられた摺動コマ８の凸部８ｃが、カム頂部の凹凸を乗り越えるためのストロークを確保する必要がなく、そのストローク分、軸長を長く形成しなくてもよい。
したがって、この出願の発明にかかる筆記具によると、前記した発明の効果の欄に記載したとおりの独自の作用効果を得ることができる。
【００２８】
尚、本実施の形態においては、軸筒に収容される筆記体は３本であるため、選択されない筆記体の数に合わせて、カム平坦部２２ａの両端２カ所にカム底部２２ｄが設けられるものとしたが、例えば、４本の筆記体を収容する場合には、図５（ａ）に二点鎖線（想像線）で示すように、更にカム平坦部２２ａの中央にカム底部２２ｄを設けてもよい。
或いは、少なくとも一つのカム底部２２ｄが設けられることにより、クリック感の獲得、及び筆記体の固定が可能となるため、軸筒に収容される筆記体の数に拘わらず、カム平坦部２２ａに設けるカム底部２２ｄの数により、クリック感（作動質感）を調整してもよい。
【符号の説明】
【００２９】
１          複式筆記具
２          前軸（軸筒）
３          後軸（軸筒）
８          摺動コマ
１１        シャープペンシル筆記体（筆記体）
１２        ボールペン筆記体（筆記体）
１３        ボールペン筆記体（筆記体）
１５        リターンバネ
２０        円筒カム
２２ａ      カム平坦部
２２ｂ      カム斜面
２２ｃ      カム頂部
２２ｄ      カム底部
【図１】
2015180558.tif 000003
【図２】
2015180558.tif 000004
【図３】
2015180558.tif 000005
【図４】
2015180558.tif 000006
【図５】
2015180558.tif 000007
【手続補正書】
【提出日】平成27年7月21日(2015.7.21)
【手続補正１】
【補正対象書類名】明細書
【補正対象項目名】０００８
【補正方法】変更
【補正の内容】
【０００８】
前記した課題を解決するために、本発明に係る筆記具は、軸筒内に複数の筆記体が収容された筆記具において、前記筆記体の後端に連結された摺動コマと、軸周りに回転自在に設けられ、前記摺動コマが摺動可能な円筒カムとを具備し、前記円筒カムの回転により前記摺動コマを前後移動させ、選択的に一つの筆記体の先端部を軸先から突出させる複式筆記具であって、前記円筒カムは、周方向に沿って円弧断面状に形成されたカム平坦部と、前記カム平坦部の両端側から前方に尖形するように延設された一対のカム斜面と、前記一対のカム斜面の先端が繋がる所定幅のカム頂部と、少なくとも前記カム平坦部に少なくとも一つ設けられ、前記摺動コマの斜面を有する凸部が着脱自在に嵌合可能な凹部状のカム底部と、を有し、前記カム底部と前記摺動コマとの間に粘稠性のあるグリスが塗布されていることを特徴としている。
【手続補正２】
【補正対象書類名】明細書
【補正対象項目名】０００９
【補正方法】変更
【補正の内容】
【０００９】
このような構成によれば、選択された筆記体ではない他の筆記体に連結された摺動コマが円筒カムのカム底部に嵌り込むことにより、選択された筆記体は、その後端に連結された摺動コマがカム頂部から位置ずれすることなく保持される。
また、選択された筆記体ではない他の筆記体に連結された摺動コマが円筒カムのカム底部に嵌り込むことでクリック感を得ることができる。また、カム底部周辺の凹凸に加わる負荷が低減され、摩耗を抑制することができる。
更に、カム底部と摺動コマの凸部との間に、粘稠性のあるグリスが塗布されることでクリック音を低下することができ、高級感のあるクリック感を得ることができる。
尚、前記カム底部が、少なくとも前記カム平坦部に一つ設けられていることが望ましい。
【手続補正３】
【補正対象書類名】明細書
【補正対象項目名】００１０
【補正方法】変更
【補正の内容】
【００１０】
また、前記カム底部はカム平坦部の両端部に設けられ、前記円筒カムにおいて、前記カム頂部は、緩やかな凹状に形成されていることが望ましい。
前記カム頂部が緩やかな凹状に形成されていることで、選択された筆記体の保持安定性が向上する。
【手続補正４】
【補正対象書類名】明細書
【補正対象項目名】００１１
【補正方法】変更
【補正の内容】
【００１１】
また、前記した課題を解決するために、本発明に係る筆記具は、軸筒内に複数の筆記体が収容された筆記具において、前記筆記体の後端に連結された摺動コマと、軸周りに回転自在に設けられ、前記摺動コマが摺動可能な円筒カムとを具備し、前記円筒カムの回転により前記摺動コマを前後移動させ、選択的に一つの筆記体の先端部を軸先から突出させる複式筆記具であって、前記円筒カムは、周方向に沿って円弧断面状に形成されたカム平坦部と、前記カム平坦部の両端側から前方に尖形するように延設された一対のカム斜面と、前記一対のカム斜面の先端が繋がる所定幅のカム頂部と、少なくとも一つ設けられ、前記摺動コマの斜面を有する凸部が着脱自在に嵌合可能な凹部状のカム底部と、を有し、前記カム底部と前記摺動コマとの間に粘稠性のあるグリスが塗布されていることを特徴としている。
このような構成によれば、選択された筆記体ではない他の筆記体に連結された摺動コマが円筒カムのカム底部に嵌り込むことにより、選択された筆記体は、その後端に連結された摺動コマがカム頂部から位置ずれすることなく保持される。
また、選択された筆記体ではない他の筆記体に連結された摺動コマが円筒カムのカム底部に嵌り込むことでクリック感を得ることができる。また、カム底部周辺の凹凸に加わる負荷が低減され、摩耗を抑制することができる。
更に、カム底部と摺動コマの凸部との間に、粘稠性のあるグリスが塗布されることでクリック音を低下することができ、高級感のあるクリック感を得ることができる。
【手続補正５】
【補正対象書類名】特許請求の範囲
【補正対象項目名】全文
【補正方法】変更
【補正の内容】
【特許請求の範囲】
【請求項１】
軸筒内に複数の筆記体が収容された筆記具において、前記筆記体の後端に連結された摺動コマと、軸周りに回転自在に設けられ、前記摺動コマが摺動可能な円筒カムとを具備し、前記円筒カムの回転により前記摺動コマを前後移動させ、選択的に一つの筆記体の先端部を軸先から突出させる複式筆記具であって、
前記円筒カムは、
周方向に沿って円弧断面状に形成されたカム平坦部と、
前記カム平坦部の両端側から前方に尖形するように延設された一対のカム斜面と、
前記一対のカム斜面の先端が繋がる所定幅のカム頂部と、
少なくとも前記カム平坦部に少なくとも一つ設けられ、前記摺動コマの斜面を有する凸部が着脱自在に嵌合可能な凹部状のカム底部と、を有し、
前記カム底部と前記摺動コマとの間に粘稠性のあるグリスが塗布されていることを特徴とする複式筆記具。
【請求項２】
前記カム底部が、少なくとも前記カム平坦部に一つ設けられていることを特徴とする請求項１記載の複式筆記具。
【請求項３】
前記カム底部はカム平坦部の両端部に設けられ、
前記円筒カムにおいて、前記カム頂部は、緩やかな凹状に形成されていることを特徴とする請求項１に記載された複式筆記具。
【請求項４】
軸筒内に複数の筆記体が収容された筆記具において、前記筆記体の後端に連結された摺動コマと、軸周りに回転自在に設けられ、前記摺動コマが摺動可能な円筒カムとを具備し、前記円筒カムの回転により前記摺動コマを前後移動させ、選択的に一つの筆記体の先端部を軸先から突出させる複式筆記具であって、
前記円筒カムは、
周方向に沿って円弧断面状に形成されたカム平坦部と、
前記カム平坦部の両端側から前方に尖形するように延設された一対のカム斜面と、
前記一対のカム斜面の先端が繋がる所定幅のカム頂部と、
少なくとも一つ設けられ、前記摺動コマの斜面を有する凸部が着脱自在に嵌合可能な凹部状のカム底部と、を有し、
前記カム底部と前記摺動コマとの間に粘稠性のあるグリスが塗布されていることを特徴とする複式筆記具。